(57)【要約】      （修正有）【課題】餌の抜けや回転等の移動が抑制されうるテンヤを提供する。【解決手段】テンヤ２は、ヘッド４、第一アイ６、第二アイ８、クイックスナップ１０、メインフック１２、スプリットリング１４、鉤素１６及び拘束フック１８を有している。メインフック１２は、ヘッド４に一体的に固定されている。メインフック１２が、餌に通され、餌に拘束フック１８が突き刺さることで、餌の移動が阻止される。拘束フックの深さＤ２の、メインフックの深さＤ１に対する比率は、６０％以下である。メインフックの最深点Ｐ１と拘束フックの最深点Ｐ３との長さ方向距離Ｌは、２０ｍｍ以上である。【選択図】図１
0003208886.tif 000002
【実用新案登録請求の範囲】
【請求項１】
ヘッドと、このヘッドに一体的に固定されたメインフックと、このメインフックが通された餌に突き刺さることでこの餌の移動を抑制する拘束フックとを備えたテンヤ。
【請求項２】
上記拘束フックの深さの、上記メインフックの深さに対する比率が、６０％以下である請求項１に記載のテンヤ。
【請求項３】
上記比率が４５％以下である請求項２に記載のテンヤ。
【請求項４】
上記メインフックの最深点と上記拘束フックの最深点との長さ方向距離が、２０ｍｍ以上である請求項１から３のいずれかに記載のテンヤ。
【請求項５】
上記長さ方向距離が３０ｍｍ以上である請求項４に記載のテンヤ。
【請求項６】
上記拘束フックの先端部の開き角度が５°以上である請求項１から５のいずれかに記載のテンヤ。
【請求項７】
上記開き角度が１０°以上である請求項６に記載のテンヤ。
【請求項８】
上記ヘッドに重錘が取り付けられるための、クイックスナップを、さらに備えた請求項１から７のいずれかに記載のテンヤ。
【請求項９】
上記ヘッドの上方へと突出するアイをさらに備えており、このアイに上記拘束フックが取り付けられている請求項１から８のいずれかに記載のテンヤ。
【考案の詳細な説明】
【技術分野】
【０００１】
本考案は、釣りに用いられるテンヤに関する。
【背景技術】
【０００２】
太刀魚等の魚をターゲットにした釣りに、テンヤが用いられている。テンヤは、ヘッドとフックとを有している。フックは、ヘッドに一体的に固定されている。このフックに、餌が取り付けられる。テンヤは、釣り糸が結ばれた状態で、海底に向けて沈められる。餌に食いついた太刀魚にフックが突き刺さり、この太刀魚が釣り上げられる。
【０００３】
株式会社シマノ発行の「２０１６フィッシングカタログ」の第３５８頁には、ヘッド、メインフック及びアシストフックを有するテンヤが開示されている。このテンヤでは、メインフックが餌に通される。さらに、アシストフックが、餌に突き刺される。餌に食いついた魚は、メインフック又はアシストフックに突き刺さり、釣り上げられる。
【先行技術文献】
【非特許文献】
【０００４】
【非特許文献１】株式会社シマノ発行の「２０１６フィッシングカタログ」の第３５８頁
【考案の概要】
【考案が解決しようとする課題】
【０００５】
テンヤが用いられた釣りでは、餌がフックから抜けることがある。また、餌がフックに対して回転することもある。餌の移動（つまり、抜け及び回転）は、釣果に悪影響を与える。
【０００６】
本考案の目的は、メインフックに通された餌が拘束されて、この餌の移動が抑制されうるテンヤの提供にある。
【課題を解決するための手段】
【０００７】
本考案に係るテンヤは、ヘッドと、このヘッドに一体的に固定されたメインフックと、このメインフックが通された餌に突き刺さることでこの餌の移動を抑制する拘束フックとを備える。
【０００８】
好ましくは、拘束フックの深さの、メインフックの深さに対する比率は、６０％以下である。好ましくは、この比率は、４５％以下である。
【０００９】
好ましくは、メインフックの最深点と拘束フックの最深点との長さ方向距離は、２０ｍｍ以上である。好ましくは、この長さ方向距離は、３０ｍｍ以上である。
【００１０】
好ましくは、拘束フックの先端部の開き角度は、５°以上である。好ましくは、この開き角度は、１０°以上である。
【００１１】
好ましくは、テンヤは、ヘッドに重錘が取り付けられるためのクイックスナップを、さらに備える。
【００１２】
好ましくは、テンヤは、ヘッドの上方へと突出するアイをさらに備える。このアイに、拘束フックが取り付けられる。
【考案の効果】
【００１３】
本考案に係るテンヤでは、餌にメインフックが通されることで、この餌がテンヤに付けられる。この餌には、拘束フックが突き刺さる。この拘束フックは、餌の移動を抑制しうる。
【図面の簡単な説明】
【００１４】
【図１】図１は、本考案の一実施形態に係るテンヤが示された正面図である。
【図２】図２は、図１のテンヤが餌と共に示された正面図である。
【図３】図３は、図１のテンヤの拘束フックが示された拡大正面図である。
【図４】図４は、図１のテンヤが用いられた釣りの様子が示された正面図である。
【図５】図５は、図１のテンヤが用いられた釣りの様子が示された正面図である。
【図６】図６は、図１のテンヤが用いられた釣りの様子が示された正面図である。
【図７】図７は、図１のテンヤが用いられた釣りの様子が示された正面図である。
【図８】図８は、図１のテンヤが他の餌と共に示された正面図である。
【考案を実施するための形態】
【００１５】
以下、適宜図面が参照されつつ、好ましい実施形態に基づいて本考案が詳細に説明される。
【００１６】
図１に示されたテンヤ２は、ヘッド４、第一アイ６、第二アイ８、クイックスナップ１０、メインフック１２、スプリットリング１４、鉤素１６及び拘束フック１８を有している。図１における左右方向は、テンヤ２の長さ方向である。図１において、左側は前側であり、右側は後側である。このテンヤ２は、主として太刀魚の釣りに用いられる。このテンヤ２が、他の魚の釣りに用いられてもよい。
【００１７】
ヘッド４は、魚の頭部に類似の形状を有する。ヘッド４は、水の比重よりも大きな比重を有する材料から形成されている。ヘッド４の典型的な材質として、鉛、鉛合金、タングステン及びタングステン合金が例示される。
【００１８】
第一アイ６は、金属線が曲げられることによって形成されている。金属線の両端は、ヘッド４に埋設されている。この埋設により、第一アイ６がヘッド４に一体的に固定されている。金属線の典型的な材質として、炭素鋼及びステンレス鋼が例示される。
【００１９】
第二アイ８は、金属線が曲げられることによって形成されている。金属線の両端は、ヘッド４に埋設されている。この埋設により、第二アイ８がヘッド４に一体的に固定されている。金属線の典型的な材質として、炭素鋼及びステンレス鋼が例示される。
【００２０】
クイックスナップ１０は、金属線が曲げられることによって形成されている。金属線の一端は、ヘッド４に埋設されている。この埋設により、クイックスナップ１０がヘッド４に一体的に固定されている。金属線の他端は、ヘッド４から露出している。金属線は略「Ｊ」字状に湾曲している。この湾曲により、ループ２０が形成されている。金属線の典型的な材質として、炭素鋼及びステンレス鋼が例示される。
【００２１】
メインフック１２は、金属線が曲げられることによって形成されている。メインフック１２は、シャンク２２、湾曲部２４、先端部２６及びモドリ２８を有している。シャンク２２の端は、ヘッド４に埋設されている。この埋設により、メインフック１２がヘッド４に一体的に固定されている。シャンク２２は、テンヤ２の長さ方向（図１の左右方向）に延在している。メインフック１２の典型的な材質として、炭素鋼、ステンレス鋼及びアルミニウム合金が例示される。
【００２２】
スプリットリング１４は、第一アイ６に通されている。このスプリットリング１４に、鉤素１６が通されている。この鉤素１６に、拘束フック１８が縛られている。鉤素１６が、スプリットリングを介さず、直接に第一アイ６に連結されてもよい。
【００２３】
図２は、図１のテンヤ２が餌３０ａと共に示された正面図である。この例では、餌３０ａは小魚である。小魚の例として、キビナゴ、ドジョウ、イワシ、アジ等が例示される。小魚に代えて、海老のような甲殻類が餌３０ａとされてもよい。餌３０ａとして、疑似餌が用いられてもよい。餌３０ａには、メインフック１２が通されている。このメインフック１２により、餌３０ａがテンヤ２に取り付けられている。メインフック１２の先端部２６は、餌３０ａから露出している。餌３０ａには、拘束フック１８が突き刺さっている。拘束フック１８は、上側から下側に向けて、餌３０ａに突き刺さっている。この拘束フック１８の効果は、後に詳説される。
【００２４】
図３は、図１のテンヤ２の拘束フック１８が示された拡大正面図である。拘束フック１８は、金属線が曲げられることによって形成されている。拘束フック１８は、シャンク３２、湾曲部３４、先端部３６及びモドリ３８を有している。この実施形態では、モドリ３８は、先端部３６よりも先に位置している。拘束フック１８の典型的な材質として、炭素鋼、ステンレス鋼及びアルミニウム合金が例示される。図２に示されるように、先端部３６は餌３０ａに突き刺さり、この餌３０ａの体内で後側から前側に向けて延在している。換言すれば、拘束フック１８は、餌３０ａを引っ掛けている。
【００２５】
図４は、図１のテンヤ２が用いられた釣りの様子が示された正面図である。図４には、水中を沈降中のテンヤ２が示されている。テンヤ２は、図中矢印Ａで示される方向に沈降している。図４には、スナップ４０、サルカン４２、ライン４４、重錘４６ａ、スプリットリング４８及びアシストフック５０が示されている。
【００２６】
スナップ４０は、第一アイ６に連結されている。このスナップに、サルカン４２が連結されている。このサルカン４２に、ライン４４が結ばれている。換言すれば、スナップ４０及びサルカン４２を介して、第一アイ６にライン４４が連結されている。スナップ４０が用いられなくてもよい。サルカン４２が用いられなくてもよい。ライン４４が、直接に第一アイ６に連結されてもよい。
【００２７】
重錘４６ａは、その環５２ａにクイックスナップ１０が通されることで、このクイックスナップ１０に連結されている。この重錘４６ａを有するので、テンヤ２を含む仕掛けの重心が比較的前側（図１の左側）に位置している。従ってテンヤ２は、やや前下がりの姿勢で、水中を沈降する。
【００２８】
スプリットリング４８は、第二アイ８を通されている。このスプリットリング４８に、アシストフック５０が連結されている。アシストフック５０として、シングルフック、ダブルフック、トリプルフック、四本針等が用いられうる。
【００２９】
図４に示された姿勢にてテンヤ２が所定の深さに到達すると、ライン４４の繰り出しが止められる。テンヤ２は、水中で静止する。図５に、静止したテンヤが示されている。図５では、餌３０ｂと重錘４６ａとの重さがつり合っている。従ってテンヤ２は、シャンク２２がほぼ水平となり、このシャンク２２が突き刺さった餌３０ａがほぼ水平となる姿勢をとる。この姿勢は、太刀魚にアピールする。次にライン４４が巻かれる。これにより、テンヤ２が上昇する。太刀魚は、餌３０ａ又はテンヤ２に食いつく。この太刀魚に、メインフック１２又はアシストフック５０が突き刺さる。さらにライン４４が巻かれることで、太刀魚が釣り上げられる。
【００３０】
テンヤ２が沈降しているとき、及び上昇しているとき、餌３０ａに水の低抗力がかかる。さらに、テンヤ２がキャストされるとき、餌３０ａには慣性に起因する力がかかる。これらの力により、餌３０ａがメインフック１２から抜けようとすることがある。このとき、拘束フック１８、鉤素１６及びスプリットリング１４に張力がかかり、餌３０ａの抜けが抑制される。
【００３１】
前述の力により、餌３０ａがメインフック１２に対して回転しようとすることがある。この場合も、拘束フック１８、鉤素１６及びスプリットリングに張力がかかり、餌３０ａの回転が抑制される。
【００３２】
このように、拘束フック１８により、餌３０ａの移動（抜け及び回転）が抑制される。この拘束フック１８は、餌３０ａを本来の位置に、本来の姿勢で保持しうる。この拘束フック１８は、釣果に寄与しうる。
【００３３】
太刀魚が、餌３０ａの尾の付近に食いつくことがある。太刀魚が尾に食いついた時点では、この太刀魚はメインフック１２にもアシストフック５０にも掛からない。太刀魚が、食いついた尾を引っ張っても、拘束フック１８によって餌３０ａの抜けが抑制される。太刀魚は、さらに深く餌３０ａを飲み込もうとして、餌３０ａの腹や頭に食いつく。このとき、メインフック１２又はアシストフック５０が太刀魚に掛かり、この太刀魚が釣り上げられる。この拘束フック１８を有するテンヤ２は、釣果に寄与しうる。
【００３４】
前述の通り、太刀魚が尾に食いついた時点では、この太刀魚はメインフック１２にもアシストフック５０にも掛からない。この時点で餌３０ａがちぎれ、太刀魚が餌３０ａの後部分（尾の部分）のみを食することがある。この場合でも、拘束フック１８があるので、餌３０ａの前部分はメインフック１２から抜けない。太刀魚は、残存する餌３０ａに再度アタックし、メインフック１２又はアシストフック５０に掛かる。この拘束フック１８を有するテンヤ２では、高いヒット率が達成される。
【００３５】
メインフックと共に、餌に突き刺されるアシストフックを有するテンヤが、従来から存在している。しかし、このアシストフックの役割は、太刀魚等の獲物に掛かることである。一方、本発明に係るテンヤ２では、拘束フック１８は、餌３０ａに突き刺さるものであり、太刀魚に突き刺さることを意図したものではない。この拘束フック１８は、従来のテンヤが有するアシストフックとは、異なるものである。
【００３６】
図５に示された、シャンク２２が水平になる姿勢において、第一アイ６は、ヘッド４の上方に突出している。この第一アイ６に、拘束フック１８が取り付けられている。従って拘束フック１８は、餌３０ａに、上方から突き刺さっている。鉤素１６は、餌３０ａの上方に位置している。太刀魚は通常、下から上に向かって餌３０ａに食いつく。従って、太刀魚が餌３０ａに食いついても、太刀魚の歯は、鉤素１６に触れない。このテンヤ２では、鋭い歯を持つ太刀魚に鉤素１６が食いちぎられることが抑制される。
【００３７】
図１において矢印Ｄ１で示されているのは、メインフック１２の深さである。深さＤ１は、最深点Ｐ１と先端Ｐ２との長さ方向距離である。図１において矢印Ｄ２で示されているのは、拘束フック１８の深さである。深さＤ２は、最深点Ｐ３と先端Ｐ４との長さ方向距離である。
【００３８】
拘束フック１８の深さＤ２の、メインフック１２の深さＤ１に対する比率は、６０％以下が好ましい。拘束フック１８が太刀魚に掛かる必要はないので、６０％を超える比率は必要ない。この比率が６０％以下であるテンヤ２では、拘束フック１８が餌３０ａにダメージを与えにくい。この観点から、この比率は４５％以下が特に好ましい。拘束フック１８が餌３０ａを十分に拘束するとの観点から、この比率は２０％以上が好ましい。
【００３９】
図１において矢印Ｌで示されているのは、メインフック１２の最深点Ｐ１と拘束フック１８の最深点Ｐ３との長さ方向距離である。距離Ｌは、最深点Ｐ３が最も後側に位置する状態で、測定される。距離Ｌは、２０ｍｍ以上が好ましい。拘束フック１８が太刀魚に掛かる必要はないので、距離Ｌが大きくてもよい。距離Ｌが２０ｍｍ以上であるテンヤ２では、拘束フック１８が餌３０ａにダメージを与えにくい。この観点から、この距離Ｌは３０ｍｍ以上が特に好ましい。拘束フック１８が餌３０ａを十分に拘束するとの観点から、この比率は４５ｍｍ以下が好ましい。
【００４０】
図３において矢印θで示されているのは、拘束フック１８の先端部３６の開き角度である。開き角度θは、シャンク３２に対する先端部３６の角度である。開き角度θは、正の値である。なぜならば、拘束フック１８は、ターゲットである太刀魚等に掛かることを目的としたものではなく、餌３０ａに突き刺さることを意図したものだからである。餌３０ａに突き刺さりやすいとの観点から、開き角度θは５°（degree）以上が好ましく、１０°以上が特に好ましい。拘束フック１８が餌３０ａから抜けにくいとの観点から、開き角度θは３０°以下が好ましい。
【００４１】
図６にも、テンヤ２が用いられた釣りの様子が示されている。図６にも、水中を沈降中のテンヤ２が示されている。テンヤ２は、図中矢印Ａで示された方向に沈降している。図６では、図４で示された重錘４６ａよりも大きな重錘４６ｂが示されている。重錘４６ｂは、その環５２ｂにクイックスナップ１０が通されることで、このクイックスナップ１０に連結されている。
【００４２】
テンヤ２が大きな重錘４６ｂを有するので、このテンヤ２を含む仕掛けの重心は、大幅に前側（図１の左側）に位置している。従ってテンヤ２は、図４に比べてさらに前下がりの姿勢で、水中を沈降する。このときの沈降速度は、速い。
【００４３】
図６に示された姿勢にてテンヤ２が所定の深さに到達すると、ライン４４が巻かれる。これにより、テンヤ２が上昇する。太刀魚は、餌３０ａ又はテンヤ２に食いつく。この太刀魚に、メインフック１２又はアシストフック５０が突き刺さる。さらにライン４４が巻かれることで、太刀魚が釣り上げられる。
【００４４】
テンヤ２がクイックスナップ１０を有するので、重錘４６ａと重錘４６ｂとの交換は容易であり、かつ短時間でなされうる。釣り人は、潮の流れの速さ、水深等に応じ、適切な重錘４６を選択して使用できる。
【００４５】
図７にも、テンヤ２が用いられた釣りの様子が示されている。図７には、水中で静止しているテンヤ２が示されている。図７では、メインフック１２に、大きくて重い餌３０ｂが刺さっている。一方、ヘッド４には、大きくて重い重錘４６ｂが取り付けられている。餌３０ｂと重錘４６ｂとの重さがつり合っているので、テンヤ２は、餌３０ｂがほぼ水平となる姿勢をとる。この姿勢は、太刀魚にアピールする。
【００４６】
図８は、図１のテンヤ２が他の餌３０ｃと共に示された正面図である。図８では、餌３０ｃの断面が示されている。実際は、シャンク２２が餌３０ｃに突き刺さっている。この餌３０ｃは、魚の切り身である。この餌３０ｃは、身部５４と皮部５６とを有している。図８では、皮部５６が身部５４よりも上側に位置している。従って拘束フック１８は、皮部５６を貫通している。皮部５６の引き裂き強度は、身部５４のそれよりも大きい。この皮部５６を拘束フック１８が貫通しているので、この拘束フック１８を起点とした餌３０ｃの裂けが生じにくい。この拘束フック１８により、餌３０ｃの移動がより確実に阻止されうる。
【産業上の利用可能性】
【００４７】
本考案に係るテンヤは、太刀魚のみならず、鯛、ヒラメ、アイナメ、マゴチ等の種々の魚をターゲットにした釣りに適している。
【符号の説明】
【００４８】
２・・・テンヤ
４・・・ヘッド
６・・・第一アイ
８・・・第二アイ
１０・・・クイックスナップ
１２・・・メインフック
１６・・・鉤素
１８・・・拘束フック
３０ａ、３０ｂ、３０ｃ・・・餌
３２・・・シャンク
３４・・・湾曲部
３６・・・先端部
４４・・・ライン
４６ａ、４６ｂ・・・重錘
５０・・・アシストフック
【図１】
0003208886.tif 000003
【図２】
0003208886.tif 000004
【図３】
0003208886.tif 000005
【図４】
0003208886.tif 000006
【図５】
0003208886.tif 000007
【図６】
0003208886.tif 000008
【図７】
0003208886.tif 000009
【図８】
0003208886.tif 000010